(57)【要約】      （修正有）【課題】使用時に周囲の人や物を傷つける恐れがなく、かつ、袋体への物の出し入れが容易で、しかも、マチの上端部の強度が高いマチ付安全手提げ袋の製造方法を提供する。【解決手段】マチ付手提げ袋３の開口側の角部を、その左右側辺のそれぞれにおいて袋体の内側に折り込まれるマチの一部とともに切り落とす切断工程（ステップＳ１）と、この切断工程（ステップＳ１）によって袋体の開口側のマチに形成される舌状の突部を袋体の内側に折込んでマチの上端を二重にする折込み工程（ステップＳ２）と、を有することを特徴とするマチ付安全手提げ袋の製造方法１による。【選択図】図１
2017087653.tif 000002
【特許請求の範囲】
【請求項１】
マチ付手提げ袋の開口側の角部を、その左右側辺のそれぞれにおいて袋体の内側に折り込まれるマチの一部とともに切り落とす切断工程と、
この切断工程によって前記袋体の開口側の前記マチに形成される舌状の突部を前記袋体の内側に折込んで前記マチの少なくとも一部を二重にする折込み工程と、を有することを特徴とするマチ付安全手提げ袋の製造方法。
【請求項２】
開口側の角部が、その左右側辺のそれぞれにおいて袋体の内側に折り込まれるマチの一部とともに切り落とされたマチ付手提げ袋において、
前記開口側の前記マチに形成される舌状の突部は、前記袋体の内側に折込まれて、前記開口側の前記マチが二重になっていることを特徴とするマチ付安全手提げ袋。
【請求項３】
前記袋体は、前記角部が切除されてなるアール部を備えていることを特徴とする請求項２に記載のマチ付安全手提げ袋。
【発明の詳細な説明】
【技術分野】
【０００１】
本発明は、紙製のマチ付手提げ袋に関し、特に、その角部により人や周囲のものを損傷するおそれがなく製造が容易なマチ付安全手提げ袋およびその製造方法に関する。
【背景技術】
【０００２】
従来、店舗等において購入した商品を客が持ち運ぶための包装容器として紙製の手提げ袋が用いられている。
このような紙製の手提げ袋は、硬質感があり形状保持性を有しているので、商品が重量物であっても手提げ袋を型崩れさせることなく商品を持ち運ぶことができるというメリットがある。
その一方で、このような紙製の手提げ袋は、人が手に提げて持った際に、角部が子供の目線と同じ高さに位置する場合があり、手提げ袋の角部が意図せず子供の目に触れて怪我させてしまう恐れがあり危険であった。
また、怪我の原因にならないまでも、ニットやシルク等の繊細な衣服を損傷してしまう恐れや、あるいは、周囲の物を損傷させてしまう恐れがあった。
本発明と関連する技術分野の先行技術文献としては、以下に示すようなものが知られている。
【０００３】
特許文献１には「手提げ袋及び手提げ袋の製造方法」という名称で、手提げ袋及びその製造方法に関するもので、特に、洋品店等で商品を入れて顧客に手渡す包装用に適した手提げ袋及びその製造方法に関する発明が開示されている。
特許文献１に開示される発明は、文献中に記載される符号をそのまま用いて説明すると、口元に内側に折り返し部（１１）を設けた柔軟生地からなる袋本体（１０）と、紙製の補強材（２０）とで構成し、該補強材（２０）は底面沿設面部（２５）で連結され、両端側を袋本体（１０）の前面部（１２）と後面部（１３）とに沿わせ、その上端を上記折り返し部（１１，１１）にまで臨入させる前面沿設面部（２２）と後面沿設面部（２３）とを連設して構成する。袋本体（１０）の口元部位には手提げ用通孔（３０ａ，３０ａ，３０ｂ，３０ｂ）を夫々一対ずつ設け、該通孔（３０ａ，３０ａ，３０ｂ，３０ｂ）には、夫々提手紐（３０，３０）の各端部を挿通し、袋本体（１０）内に挿入された部位に抜け止め用結び目（３１，３１，３１，３１）を設けてなることを特徴とするものである。
上記構成の特許文献１に開示される発明によれば、合成樹脂等の柔軟生地からなる袋本体（１０）と紙製の補強材（２０）とを組み合わせて使用しているので、合成樹脂や繊維等の豪華さ、防水性、合成樹脂材による透明材の使用等の幅広い素材の使用と、紙の自己保型性、印刷の容易性との双方が利用できる手提げ袋を提供できる。すなわち、袋本体（１０）は合成樹脂製又は繊維製であるので、紙の補強材（２０）を被覆して、豪華性を強調したり柔軟性を強調したりすることができ、また、補強材（２０）はこれら柔軟生地の自己保型性に劣る点を互いに補った手提げ袋を提供できる。
【０００４】
特許文献２には「包装用袋」という名称で、紙、厚紙、合成樹脂、皮、皮革などからなるシート体（すなわち、板状体）からなる包装用袋に関する発明が開示されている。
特許文献２に開示される発明は、底部と、前面胴部と、後面胴部と、左側面胴部と、右側面胴部とを有し、当該前面胴部の頂端側と、後面胴部の頂端側と、左側面胴部の頂端側と、右側面胴部の頂端側とによって前記底部に対向する天部に前記底部に対して平行に形成される開口部が、前後方向に狭められて閉鎖され、又は前後方向に拡げられて開放されることが可能であると共に、前記底部の左右方向の長さを変えることなく、前記開口部の左右方向の長さを、前記底部の左右方向の長さと同一の状態から、当該左右方向の長さが短くなって前記開口部が左右方向において狭められた状態に変更されること及び、前記左右方向の長さが前記開口部が左右方向において狭められた短くなっている前記の状態から、前記底部の左右方向の長さと同一の状態に変更されることが可能なものである。
上記構成の特許文献２に開示される発明によれば、その包装用袋を前後方向から見たときには、方形状に、底部から開口部まで同一の左右方向の長さ（大きさ）で延びている状態と、底部の辺に対して頂部の辺の方が長さ（大きさ）が短い（小さい）台形状に、底部から開口部まで延びている状態とに、簡単に、かつ、任意に、形態、形状を変更することができるという効果を有する。
【０００５】
特許文献３には「包装袋」という名称で、布、紙、不織布、プラスチックフィルム、ネット等の柔軟性に富む素材からなる袋上部と、これよりも硬質な紙、プラスチック等の有底筒形の袋下部とを互いに連結した構造の包装袋に関する考案が開示されている。
特許文献３に開示される考案は、文献中に記載される符号をそのまま用いて説明すると、柔性に富む素材からなる筒状体の下縁部を内側上向きに折返してはぜ受け（４）を形成した袋上部（１）と、上記筒状体よりも硬質な素材からなり上縁部に外側下向きに折返したはぜ（５）を設けた有低筒形の袋下部よりなり、該袋下部（２）を上記袋上部（１）に挿入したはぜ（５）をはぜ受け（４）に係合させることにより一体連結させてなることを特徴とするものである。
上記構成の特許文献３に開示される考案によれば、袋上部と袋下部の一部を折り返したはぜ受けとはぜの係合により連結する構造にしてあるので、ミシン糸などで縫合したり接着したりする従来のものに比べて、連結作業が極めて簡単で短時間に能率的に行なえ生産コストを安価にできるうえ、筒状体の縫い目が表に出ず、外観がすっきりする等種々優れた利点を有する。
【先行技術文献】
【特許文献】
【０００６】
【特許文献１】特開２００３−２６１８６号公報
【特許文献２】特開２００６−２９８４１２号公報
【特許文献３】実願昭５１−１４６５８３号（実開昭５６−６５８３２号）のマイクロフィルム
【発明の概要】
【発明が解決しようとする課題】
【０００７】
特許文献１に開示される発明は、本願発明と同じ解決すべき課題を想定してなされたものであり、紙の補強材２０が角部を有しない構造になっている。このため、従来技術に係る紙製の手提げ袋と比較すると、その角部が子供の目に入って怪我を負わせる、あるいは、柔らかくて繊細な衣服が紙製の手提げ袋の角部で損傷してしまうリスクを低減できると考えられる。
しかしながら、特許文献１に開示される発明は、依然として角部に相当するものとして欠部２１を有するため、この部分が子供の目に入った場合はやはり怪我の原因になる恐れがあった。
また、特許文献１に開示される手提げ袋を製造する場合は、その製造にあたり、従来公知の紙製の手提げ袋をそのまま使用することができないので、新規な材料や加工工程を採用する必要があり煩雑であった。
【０００８】
特許文献２に開示される発明の場合は、包装用袋の開口部側の角部を持ち手側に押し込んだり、引き出したりできる構造になっているので、従来技術に係る紙製の手提げ袋と比較して、その角部が子供の目に入って怪我を負わせる、あるいは、柔らかくて繊細な衣服を損傷してしまうリスクを低減できると考えられる。
しかしながら、特許文献２に開示される発明では、包装用袋に依然として角部が存在するので、上記リスクを完全になくすことはできなかった。
【０００９】
特許文献３に開示される考案の場合は、包装袋の角部が手提げ袋の内側に折込まれているので、特許文献１，２に開示される発明の場合のように、包装用袋の角部が子供の目に入って怪我を負わせる、あるいは、柔らかくて繊細な衣服を損傷してしまうリスクはないと考えられる。
その一方で、特許文献３に開示される考案の場合は、包装袋のマチが開口部の内側に覆い被さっているため、包装袋内への物品の出し入れが容易でないという課題があった。
【００１０】
本発明はかかる従来の事情に対処してなされたものであり、手提げ袋の使用時にその角部が人体や周囲の物を損傷する恐れがなく、袋体の開口部からの物の出し入れが容易で、マチの上端が補強されて丈夫であり、しかも、既存のマチ付手提げ袋を用いて容易に製造することができるマチ付安全手提げ袋およびその製造方法を提供することにある。
【課題を解決するための手段】
【００１１】
上記課題を解決するため第１の発明であるマチ付安全手提げ袋の製造方法は、マチ付手提げ袋の開口側の角部を、その左右側辺のそれぞれにおいて袋体の内側に折り込まれるマチの一部とともに切り落とす切断工程と、この切断工程によって袋体の開口側のマチに形成される舌状の突部を袋体の内側に折込んでマチの少なくとも一部を二重にする折込み工程と、を有することを特徴とするものである。
上記構成の第１の発明において、切断工程は、マチ付手提げ袋の開口側の角部を、その左右側辺のそれぞれにおいて袋体の内側に折り込まれるマチの一部とともに切除するという作用を有する。
また、折込み工程は、上記切断工程を行うことによって袋体の開口側のマチに形成される突部を袋体の内側に折込んでマチを二重にするという作用を有する。
そして、上述の切断工程及び折込み工程を行うことで、既存のマチ付手提げ袋を用いて、その開口側の角部が切除されて無くなり、さらに、開口部側のマチの周囲が凹状をなしており、しかも、この凹状部の底にあたるマチの上端部が少なくとも二重になって補強されたマチ付安全手提げ袋を製造することを可能にするという作用を有する。
【００１２】
第２の発明であるマチ付安全手提げ袋は、開口側の角部が、その左右側辺のそれぞれにおいて袋体の内側に折り込まれるマチの一部とともに切り落とされたマチ付手提げ袋において、開口側のマチに形成される舌状の突部は、袋体の内側に折込まれて、開口側のマチが二重になっていることを特徴とするものである。
上記構成の第２の発明であるマチ付安全手提げ袋は、その開口側の角部が切除されることで、角部がなくなっている。これにより、第２の発明を人が手に提げて持った際に、袋体の角部で人や周囲の物を傷つけることがない。
また、第２の発明は、開口側のマチに形成される舌状の突部が袋体の内側に折り込まれることで、袋体の開口部側のマチ周辺が凹状になる。これにより、袋体の開口部を開いて広げる動作を容易にするという作用を有する。さらに、マチ周辺に形成される凹状部の底にあたるマチの少なくとも上端部の構成部材が二重になるので、マチの上端が補強される。
【００１３】
第３の発明であるマチ付安全手提げ袋は、第２の発明であって、袋体は、角部が切除されてなるアール部を備えていることを特徴とするものである。
上記構成の第３の発明は、第２の発明と同じ作用に加えて、袋体が、角部の切除跡にアール部を備えることで、袋体を、丸みを帯びた柔らかなフォルムにするという作用を有する。
これにより、第２の発明の安全性、利便性及び強度に加えて、審美性を高めるという作用を有する。
【発明の効果】
【００１４】
上述のような第１の発明によれば、既存のマチ付手提げ袋を用いて、袋体の開口部から内部への物品の出し入れが容易で、かつ、袋体のマチの開口側の上端及び二重となっている部分が補強されていて丈夫であり、しかも、袋体の角部で人や周囲の物を損傷する恐れがない安全なマチ付手提げ袋を容易に製造することができる。
この結果、既存のマチ付手提げ袋から、より安全性と利便性が高く、しかも、マチの上端及び二重となっている部分が損傷したり破損したりし難いマチ付安全手提げ袋を製造することができる。
【００１５】
第２の発明によれば、袋体が角部を有さないので、第２の発明を人が手に提げて持った場合に、角部が触れて人や周囲の物が損傷するのを確実に防止できる。
また、第２の発明では、袋体の開口部側のマチ周辺が凹状をなすことで、既存のマチ付手提げ袋と比較して、開口が広がりやすいため、開口からの物品の出し入れが容易になる。
さらに、袋体の開口部側のマチ周辺を凹状にするために、袋体の開口側のマチに形成される舌状の突部を袋体の内側に折込む結果、袋体のマチの上端はその構成材料が二重に重なった状態になる。従って、第２の発明によれば、マチの上端及び二重となっている部分の強度を高めることができる。
よって、第２の発明によれば、袋体の角部がないことでその使用時における安全性が高く、袋体への物品の出し入れが容易で利便性が高く、しかも、マチの上端及び二重となっている部分が補強されて、袋体内へ物品を出し入れする際に、マチに物品が触れて損傷する、あるいは、破損するのを防止することができるマチ付安全手提げ袋を提供することができる。
【００１６】
第３の発明によれば、第２の発明による効果と同じ効果に加え、袋体の角部の切除跡が円弧状を成すことで袋体の外形を、丸みを帯びた柔らかなものにすることができる。従って、安全性及び利便性に優れ、かつ、マチの強度が高く、しかも、審美性の優れたマチ付安全手提げ袋を提供することができる。
【図面の簡単な説明】
【００１７】
【図１】本発明の実施の形態に係るマチ付安全手提げ袋の製造方法のフローチャートである。
【図２】本発明の実施の形態に係るマチ付安全手提げ袋の製造方法において使用するマチ付手提げ袋の斜視図である。
【図３】本発明の実施の形態に係るマチ付安全手提げ袋の製造方法における切断工程の概念図である。
【図４】本発明の実施の形態に係るマチ付安全手提げ袋の製造方法における切断工程完了時の概念図である。
【図５】本発明の実施の形態に係るマチ付安全手提げ袋の製造方法における折込み工程完了時の概念図である。
【図６】本発明の実施の形態に係るマチ付安全手提げ袋の概念図である。
【発明を実施するための形態】
【００１８】
本発明の実施の形態に係るマチ付安全手提げ袋およびその製造方法について図１乃至図６を参照しながら詳細に説明する。
【００１９】
図１乃至図５を参照しながら本実施の形態に係るマチ付安全手提げ袋の製造方法について詳細に説明する。
図１は本発明の実施の形態に係るマチ付安全手提げ袋の製造方法のフローチャートである。また、図２乃至図５はいずれも本発明の実施の形態に係るマチ付安全手提げ袋の製造方法における各工程を示す概念図である。
図１に示すように、本実施の形態に係るマチ付安全手提げ袋の製造方法１は、ステップＳ０〜Ｓ２の３つの工程からなっている。
図１に示す本実施の形態に係るマチ付安全手提げ袋の製造方法１におけるステップＳ０は、一対の主面５ａ及び裏面５ｂ、および、その左右側辺に設けられるマチ６，６、ならびに、底面５ｃにより構成される袋体４の上部開口５ｅに、一対の持ち手７，７を有するマチ付手提げ袋３（図２を参照）において、上部開口５ｅ側に配される４つの角部５ｄの全てを切断し易くするために、このマチ付手提げ袋３を、その折り目に沿って平板状に折り畳んだ状態にする折畳み工程である。
そして、このステップＳ０において、マチ付手提げ袋３をマチ６等に形成される折り目（主に図中の破線部）に沿って平板状に折り畳んだ状態を示したものが図３である。
なお、上述のステップＳ０の折畳み工程は、本実施の形態に係るマチ付安全手提げ袋の製造方法１の準備工程であり、加工対象であるマチ付手提げ袋３が図３に示すように既に折畳まれた状態である場合は、図１に示すステップＳ０は必要ない。
【００２０】
また、図１に示すステップＳ１の切断工程は、図３に示すように、折り目（図中の破線部）に沿って平板状に折畳まれたマチ付手提げ袋３の上部開口５ｅ側の４つの角部５ｄを、袋体４の左右側辺のそれぞれにおいて、袋体４の内側に折込まれるマチ６，６の一部とともに切り落とす工程である。
このステップＳ１では、図３中に切取り線Ａで示す位置を、図示しない切断器等を用いて切断して袋体４の４つの角部５ｄの全てを切除する。そして、図３中に示す切取り線Ａの位置で角部５ｄを切り落とした後に、折畳まれた状態のマチ付手提げ袋３を広げた状態を示したものが図４である。
また、図３中に示すように、上記切取り線Ａと主面５ａ又は裏面５ｂの側縁との交点がＸである。
なお、袋体４の角部５ｄの切除は、上記切断器を用いて行ってもよいが、ハサミやカッターなどの切断具を支障なく使用できる。
図４に示すように、先の図１に示すステップＳ１を完了した直後のマチ付手提げ袋３は、マチ６の上端に舌状の突部９，９を備えている。
また、図４に示すように、ステップＳ１を完了した直後のマチ付手提げ袋３に形成される舌状の突部９，９の基部、すなわち、主面５ａ又は裏面５ｂの側縁と切取り線Ａとの交点Ｘ，Ｘを結んだ直線が折込み位置１１である。
本発明では、切取り線Ａの形状及び形成位置を適宜変更することにより、袋体４の上部開口５ｅから折込み位置１１までの距離を自在に調整可能である。従って、マチ付手提げ袋３に収容される物の大きさによってマチ６，６の深さを調整することも可能である。
【００２１】
さらに、図１に示すステップＳ２の折込み工程は、図４に示す袋体４のマチ６の上端に形成される舌状の突部９，９を、図４中において一点鎖線で示す折込み位置１１から袋体４の内側に折込んで、マチ６の上端を折返し二重構造にする工程である。
この折込み工程を行うことで、角部５ｄが切り落とされたマチ付手提げ袋３は、図５に示すような本実施の形態に係る発明であるマチ付安全手提げ袋２となる。
そして、本実施の形態に係るマチ付安全手提げ袋２の全体像を示したものが図５である。また、本実施の形態に係るマチ付安全手提げ袋２を、マチ６側から見たものが後段に示す図６である。
上述のような本実施の形態に係るマチ付安全手提げ袋の製造方法１によれば、既存のマチ付手提げ袋３をそのまま用いて本実施の形態に係るマチ付安全手提げ袋２を容易に製造することができる。
【００２２】
ここで図５，６を参照しながら本実施の形態に係るマチ付安全手提げ袋２について詳細に説明する。
図６は本発明の実施の形態に係るマチ付安全手提げ袋の概念図である。なお、図１乃至図５に記載されたものと同一部分については同一符号を付し、その構成についての説明は省略する。
本実施の形態に係るマチ付安全手提げ袋２は、先の図２，３に示されるマチ付手提げ袋３の４つの角部５ｄが、袋体４の左右側辺のそれぞれにおいて、袋体４の内側に折込まれるマチ６，６の一部とともに切り落とされて形成される舌状の突部９，９が、図５，６に示すように、折込み位置１１において袋体４の内側に折込まれて、マチ６，６の上端が折返し二重構造になったものである。
【００２３】
このような本実施の形態に係るマチ付安全手提げ袋２によれば、マチ付手提げ袋３の上部開口５ｅ側に配される４つの角部５ｄが全て切除されるので、人（例えば、大人）が本実施の形態に係るマチ付安全手提げ袋２を手に提げて持った際に、背丈の低い子供の目に角部５ｄが触れて怪我を負わせるのを確実に防止することができる。
併せて、マチ付安全手提げ袋２は角部５ｄを備えていないので、マチ付安全手提げ袋２の使用時に、ニットやシルク製品などの繊細な衣類や、周囲の物を角部５ｄで傷つける恐れもない。
また、本実施の形態に係るマチ付安全手提げ袋２では、マチ付手提げ袋３の４つの角部５ｄを切り落とすことで形成される突部９を袋体４の内側に折込むことで、角部５ｄを切除していないマチ付手提げ袋３と比べて袋体４の上部開口５ｅの開け広げが容易になる。
つまり、本実施の形態に係るマチ付安全手提げ袋２は、図５，６に示すように、袋体４をマチ６側から見た場合に、マチ６の上端に凹状部１０が形成されている。これにより、主面５ａ及び裏面５ｂの上端部が広がり易くなっている。
この場合、上部開口５ｅから袋体４内への物品の出し入れが容易になる。
【００２４】
さらに、本実施の形態に係るマチ付安全手提げ袋２においては、図５，６に示すように、マチ６の上端が折込まれて折返し二重構造になっているので、マチ６の上端及び二重となっている部分の強度が高まる。この結果、マチ付安全手提げ袋２の上部開口５ｅから物品を出し入れする際に、物品がマチ６に触れて、マチ６が損傷する、あるいは、破損するのを好適に防止できる。
また、前述のとおり切取り線Ａの形状及び形成位置を適宜変更することにより、袋体４の上部開口５ｅから折込み位置１１までの距離を自在に調整可能であることから、物の重さや大きさによって折り返される舌状の突部９，９の長さを変えてマチ６の補強調整が可能である。
従って、本実施の形態に係るマチ付安全手提げ袋２を用いて持ち運ぶ物品が例えば商品である場合に、マチ６の上端やマチ６全体が損傷してマチ付安全手提げ袋２の美観が損なわれるのを防止することができる。
通常、商品の持ち運びに用いられるマチ付手提げ袋３には、その商品の製造者又は販売者のロゴ等が印刷されている。これと同様に、本実施の形態に係るマチ付安全手提げ袋２の主面５ａや裏面５ｂにも、持ち運ぶ商品の製造者又は販売者のロゴ等が印刷されて使用される可能性がある。
この場合、破れや損傷のないマチ付安全手提げ袋２に収容されて商品が運ばれることで、その商品のブランドイメージの向上効果も期待できる。
よって、本実施の形態に係るマチ付安全手提げ袋の製造方法１及びこの方法により製造されるマチ付安全手提げ袋２によれば、使用時に周囲の人や物を傷つける恐れがなく、かつ、袋体４への物の出し入れが容易で、しかも、丈夫で審美性の高いマチ付手提げ袋を提供することができる。
【００２５】
また、本実施の形態に係るマチ付安全手提げ袋２は、図４乃至図６に示すように、マチ付手提げ袋３の角部５ｄの切除跡に、アール部８を形成しておいてもよい。つまり、マチ付手提げ袋３の角部５ｄの切除跡を円弧状（略円弧状を含む）にしてもよい。
この場合、角部５ｄの切除に伴う効果に加えて、マチ付安全手提げ袋２の外形を、丸みを帯びた柔らかなものにすることができる。これにより、本実施の形態に係るマチ付安全手提げ袋２の審美性を高めることができる。
なお、図４乃至図６では、マチ付手提げ袋３の角部５ｄの切除跡にアール部８を形成する場合を例に挙げて説明しているが、アール部８に代えて直線部としてもよい。この場合も同様の効果を発揮させることができる。
なお、本願ではアール部とは弧状の形状部分を意味するが、その弧は真円の弧である必要はない。
【００２６】
さらに、本実施の形態に係る袋体４が紙製である場合は、袋体４に雨水にあたるとマチ付安全手提げ袋２が破損しやすくなる。また、マチ付安全手提げ袋２は、上部開口５ｅがマチ付手提げ袋３よりも広がり易いので、上部開口５ｅから袋体４内に雨水が浸入しやすい。
一般に、図２，３に示すようなマチ付手提げ袋３を雨天時に使用する場合、上部開口５ｅをプラスチックバッグで被覆することがある。
そして、特にマチ付手提げ袋３として本実施の形態に係るマチ付安全手提げ袋２を用いる場合は、袋体４が角部５ｄを有さないので、雨除けのためのプラスチックバッグの着脱時に、プラスチックバッグに角部５ｄに触れて損傷する恐れがなく、上部開口５ｅへのプラスチックバッグの着脱を容易にできるという独自の効果を発揮させることもできる。
【産業上の利用可能性】
【００２７】
以上説明したように本発明は、使用時に周囲の人や物を傷つける恐れがなく、かつ、袋体への物の出し入れが容易で、しかも、マチの上端や全体が丈夫なマチ付安全手提げ袋およびその製造方法であり、包装容器に関する技術分野において利用可能である。
【符号の説明】
【００２８】
１…マチ付安全手提げ袋の製造方法  ２…マチ付安全手提げ袋  ３…マチ付手提げ袋  ４…袋体  ５ａ…主面  ５ｂ…裏面  ５ｃ…底面  ５ｄ…角部  ５ｅ…上部開口  ６…マチ  ７…持ち手  ８…アール部  ９…突部  １０…凹状部  １１…折込み位置  Ａ…切取り線  Ｘ…交点
【図１】
2017087653.tif 000003
【図２】
2017087653.tif 000004
【図３】
2017087653.tif 000005
【図４】
2017087653.tif 000006
【図５】
2017087653.tif 000007
【図６】
2017087653.tif 000008
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
一対の主面と裏面と、その左右側辺に設けられるマチを備え、一対の持ち手を前記主面と前記裏面の上部に有するマチ付手提げ袋の上部開口側の角部を、前記主面と前記裏面の左右側辺のそれぞれにおいて前記マチを袋体の内側に折り畳んだ状態で一部切り落とす切断工程と、
この切断工程によって前記袋体の前記上部開口側の前記角部が切り落とされた前記主面と前記裏面はそのままにして、前記マチに形成される舌状の突部を前記袋体の内側に折込んで前記マチの少なくとも一部を二重にする折込み工程と、を有することを特徴とするマチ付安全手提げ袋の製造方法。
【請求項２】
前記切断工程において、前記袋体の前記角部の切除跡が円弧状になることを特徴とする請求項１に記載のマチ付安全手提げ袋の製造方法。
【手続補正３】
【補正対象書類名】明細書
【補正対象項目名】００１１
【補正方法】変更
【補正の内容】
【００１１】
上記課題を解決するため第１の発明であるマチ付安全手提げ袋の製造方法は、一対の主面と裏面と、その左右側辺に設けられるマチを備え、一対の持ち手を主面と裏面の上部に有するマチ付手提げ袋の上部開口側の角部を、主面と裏面の左右側辺のそれぞれにおいてマチを袋体の内側に折り畳んだ状態で一部切り落とす切断工程と、この切断工程によって袋体の上部開口側の角部が切り落とされた前記主面と前記裏面はそのままにして、マチに形成される舌状の突部を前記袋体の内側に折込んで前記マチの少なくとも一部を二重にする折込み工程と、を有することを特徴とするものである。
上記構成の第１の発明において、切断工程は、マチ付手提げ袋の開口側の角部を、その左右側辺のそれぞれにおいて袋体の内側に折り込まれるマチの一部とともに切除するという作用を有する。
また、折込み工程は、上記切断工程を行うことによって袋体の開口側のマチに形成される突部を袋体の内側に折込んでマチを二重にするという作用を有する。
そして、上述の切断工程及び折込み工程を行うことで、既存のマチ付手提げ袋を用いて、その開口側の角部が切除されて無くなり、さらに、開口部側のマチの周囲が凹状をなしており、しかも、この凹状部の底にあたるマチの上端部が少なくとも二重になって補強されたマチ付安全手提げ袋を製造することを可能にするという作用を有する。
【手続補正４】
【補正対象書類名】明細書
【補正対象項目名】００１３
【補正方法】変更
【補正の内容】
【００１３】
第３の発明であるマチ付安全手提げ袋の製造方法は、第１の発明であって、切断工程において、袋体の角部の切除跡が円弧状になることを特徴とするものである。
上記構成の第３の発明は、第１の発明と同じ作用に加えて、切断工程において袋体の角部の切除跡が円弧状になることで、袋体を、丸みを帯びた柔らかなフォルムにするという作用を有する。
これにより、第１の発明の安全性、利便性及び強度に加えて、審美性を高めるという作用を有する。
【手続補正５】
【補正対象書類名】明細書
【補正対象項目名】００１６
【補正方法】変更
【補正の内容】
【００１６】
第３の発明によれば、第１の発明による効果と同じ効果に加え、袋体の角部の切除跡が円弧状を成すことで袋体の外形を、丸みを帯びた柔らかなものにすることができる。従って、安全性及び利便性に優れ、かつ、マチの強度が高く、しかも、審美性の優れたマチ付安全手提げ袋を提供することができる。